【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
試料収集器によって保持される有機体の生検試料を受け取って貯蔵する貯蔵容器であって、
ａ）開放端部を含む封じ込め領域を画定する容器本体と、
ｂ）前記開放端部に取り外し可能に配置されて、前記封じ込め領域を封止するキャップと、を備え、
前記容器キャップが、密閉装置によって閉鎖されている通路を含み、前記密閉装置は破裂させられることが可能であり、そこで生検試料を保持する試料収集器が前記封じ込め領域の中へ入ることができて、その結果、生検試料が、前記封じ込め領域の中へ貯蔵されることができ、前記試料収集器が前記キャップにより保持されて前記通路を封止することができ、
前記キャップが、試料とされる有機体から生検試料を切断する際に、前記試料収集器と協働する試料切断面を提供し、
前記キャップを前記容器本体から分離したことを表示する開封明示表示が設けられている、貯蔵容器。
【請求項２】
前記密閉装置が、前記試料収集器によって破裂させられることが可能である、請求項１に記載の貯蔵容器。
【請求項３】
前記キャップの前記密閉装置が、薄膜である、請求項１または２に記載の貯蔵容器。
【請求項４】
前記薄膜が、前記キャップと一体に形成され、破裂させられる前に前記通路を完全に封止する、請求項３に記載の貯蔵容器。
【請求項５】
破裂すると、前記密閉装置が、前記キャップから分離することができる、請求項１から４のいずれか一項に記載の貯蔵容器。
【請求項６】
破裂すると、前記密閉装置は裂けることができるが、やはり少なくとも部分的に前記キャップに保持される、請求項１から４のいずれか一項に記載の貯蔵容器。
【請求項７】
前記密閉装置が破裂し、生検試料が前記封じ込め領域の中に入る後に、前記キャップが、前記試料収集器を受け取り、前記試料収集器を保持するように適合され、構成される、請求項１から５のいずれか一項に記載の貯蔵容器。
【請求項８】
前記密閉装置が破裂し、生検試料が前記封じ込め領域の中に入る後に、前記キャップが、前記試料収集器が前記キャップから取り外されることを防止するように適合され、構成される、請求項１から７のいずれか一項に記載の貯蔵容器。
【請求項９】
前記密閉装置が破裂し、生検試料が前記封じ込め領域の中に入る後に、前記試料収集器を前記キャップから取り外すことを防止するために、前記通路が、前記通路の中に前記試料収集器の楔留めをもたらすように成形され、寸法を形成されている、請求項７または８に記載の貯蔵容器。
【請求項１０】
前記通路が、前記試料収集器の少なくとも部分を中に収容するように成形されている、請求項１から９のいずれか一項に記載の貯蔵容器。
【請求項１１】
前記通路が、前記試料収集器をぴったりと収容するように成形されている、請求項１から１０のいずれか一項に記載の貯蔵容器。
【請求項１２】
前記開封明示表示が、開封明示リングであり、
前記開封明示リングは、前記容器本体および前記キャップの一方と一体に形成され、前記キャップが前記容器本体から分離されると、当該開封明示リングが一体に形成される前記容器本体またはキャップから少なくとも一部が切り離されるような様式で、前記キャップまたは前記容器本体の他方に係合される、請求項１から１１のいずれか一項に記載の貯蔵容器。
【請求項１３】
前記容器本体および前記キャップの少なくとも１つが、ＥＩＤおよび機械可読コード（バーコードなど）の少なくとも１つを含む、請求項１から１２のいずれか一項に記載の貯蔵容器。
【請求項１４】
試料収集器によって保持される生検試料を受け取り、貯蔵するための貯蔵容器であって、
閉鎖された封じ込め領域を画定する容器本体を備え、キャップによって画定され、密閉装置によって閉鎖されている前記封じ込め領域に通じる通路が存在し、前記密閉装置が、前記封じ込め領域の中へ開口を生成することができるように破裂させられることが可能であり、そこで生検試料を保持する試料収集器が前記封じ込め領域の中へ入ることができて、その結果、前記試料収集器によって保持された生検試料が前記封じ込め領域の中へ貯蔵され、そこで前記試料収集器が前記開口を閉鎖し、
前記キャップが、試料とされる有機体から生検試料を切断する際に、前記試料収集器と協働する試料切断面を提供する、貯蔵容器。
【請求項１５】
前記キャップが、前記容器本体に着脱自在に係合される、請求項１４に記載の貯蔵容器。
【請求項１６】
（i）請求項１に記載の貯蔵容器と、（ii）有機体からの生検試料を採取し、保持し、貯蔵する試料収集器と、を保持する試料採取器工具であって、
前記試料収集器がパンチを備え、前記パンチは、生検試料を切除して保持するために当該パンチの切断端部に形成される切断縁部を含む切断器を含み、
当該工具が、ラムを担持する本体を備え、
前記ラムは、前記試料収集器を駆動して有機体から試料を切除しかつ前記貯蔵容器の中へ入れるために、有機体の中間の部分によって前記貯蔵容器から分離される初期位置から前記試料収集器を駆動し、前記試料収集器を有機体の前記部分を通って押すように位置合わせされている第１の位置と、前記切断器が当該ラムによって押し通された第２の位置との間で、前記本体に対して通路に沿って移動するように駆動され、前記試料収集器は試料採取後に前記通路に保持され、前記貯蔵容器の中への前記通路を塞ぐ、試料採取器工具。
【請求項１７】
前記試料収集器は、プランジャを備え、
前記プランジャは、前記切断器に対して移動して前記切断器が保持する生検試料を前記切断器から取り外すことを可能にする様式で、前記パンチに保持される、請求項１６に記載の試料採取器工具。
【請求項１８】
前記パンチに対して前記プランジャが相対的に移動することができない様式で、前記ラムが前記試料収集器の前記パンチ上に作用する、請求項１７に記載の試料採取器工具。
【請求項１９】
請求項１に記載の貯蔵容器と、パンチを備える試料収集器との組立体であって、
前記パンチは、生検試料を切除して保持するために当該パンチの切断端部に形成される切断縁部を含む切断器を含み、
前記キャップの前記通路が前記試料収集器によって封止され、前記試料収集器が生検試料を保持し、生検試料を前記封じ込め領域の中に配置する、組立体。
【請求項２０】
動物から組織試料を切除するためのパンチおよび打ち抜き型の組であって、
動物の部分を通って駆動されるパンチと、動物から試料を切除する際に前記パンチと協働する打ち抜き型と、を備え、
前記打ち抜き型が、貯蔵容器に着脱自在に係合される開封明示キャップであり、
前記貯蔵容器が、前記キャップと共に封じ込め領域を画定する容器本体を含み、
前記キャップが、通路を含み、前記通路を通って前記封じ込め領域の中へのアクセスを提供し、組織試料を前記封じ込め領域の中へ搬送して貯蔵するために、動物から組織試料を切除すると前記通路の中に前記パンチが固定され、
前記キャップが、試料とされる動物から組織試料を切断する際に、前記打ち抜き型と協働する試料切断面を提供する、パンチと打ち抜き型との組。
【請求項２１】
前記通路および前記パンチが、組織試料を搬送すると、前記通路が前記パンチによって塞がれて前記封じ込め領域を封止し、組織試料を前記封じ込め領域の中に固定するように適合され、構成されている、請求項２０に記載のパンチと打ち抜き型との組。